(57)【要約】  【課題】  広く普及している営業用のカラオケ装置を利用してデジタル写真データを処理することにより、特に営業用のカラオケ装置が保持している種々の映像及びＢＧＭとしても利用可能な曲データを利用することにより、写真データの処理を容易にする。  【解決手段】  複数のカラオケ曲の楽音情報と、これらの楽音情報の再生時に表示される映像情報とをＨＤ１２及び４３に記憶しており、メモリスロット２１、ＣＤ−ＲＷドライブ２３又は電子メールで写真データを取得し、ＨＤ１２及び４３が記憶している楽音情報及び／又は映像情報を利用して加工し、加工した写真データをプリンタ２２、ＣＤ−ＲＷドライブ２３又は電子メールで外部へ出力する。【選択図】      図１
2006003842.tif 000002
【特許請求の範囲】
【請求項１】
複数のカラオケ曲の楽音情報と、これらの楽音情報の再生時に表示される映像情報とを記憶する記憶手段を備えたカラオケ装置において、
写真データを取得する写真データ取得手段と、
該写真データ取得手段が取得した写真データを、前記記憶手段が記憶している楽音情報及び／又は映像情報を利用して加工する写真データ加工手段と、
該写真データ加工手段が加工した写真データを外部へ出力する写真データ出力手段と
を備えたことを特徴とするカラオケ装置。
【請求項２】
複数のカラオケ曲の楽音情報と、これらの楽音情報の再生時に表示される映像情報とを記憶する記憶手段を備えたカラオケ装置において、
写真データを取得する写真データ取得手段と、
該写真データ取得手段が取得した写真データを、前記記憶手段が記憶している映像情報と合成する写真データ合成手段と、
前記写真データ取得手段が取得した写真データ、又は前記写真データ合成手段が合成したデータに、前記記憶手段が記憶している楽音情報を関連付ける楽音情報付加手段と、
前記写真データ取得手段が取得した写真データ、前記写真データ合成手段が合成したデータ、又は前記楽音情報付加手段が楽音情報を関連付けたデータを外部へ出力する写真データ出力手段と
を備えたことを特徴とするカラオケ装置。
【請求項３】
前記写真データ取得手段は、脱着可能な記録媒体から写真データを読み込む手段であることを特徴とする請求項１又は２に記載のカラオケ装置。
【請求項４】
前記写真データ取得手段は、外部装置から通信回線を介して写真データを受信する手段であることを特徴とする請求項１又は２に記載のカラオケ装置。
【請求項５】
前記写真データ出力手段は、写真データをハードコピー出力するプリンタであることを特徴とする請求項１乃至４に記載のカラオケ装置。
【請求項６】
前記写真データ出力手段は、脱着可能な記録媒体に写真データを記録する手段であることを特徴とする請求項１乃至５に記載のカラオケ装置。
【請求項７】
前記写真データ出力手段は、写真データを電子メール化して外部へ送信する手段であることを特徴とする請求項１乃至５に記載のカラオケ装置。
【請求項８】
複数のカラオケ曲の楽音情報と、これらの楽音情報の再生時に表示される映像情報とを記憶する記憶手段を備えたカラオケ端末装置と、該カラオケ端末装置に前記楽音情報と映像情報とを送信して前記記憶手段に記憶させる中央装置とを含むカラオケシステムにおいて、
前記中央装置は、電子メールにより写真データを受信して保管する機能を有し、
前記カラオケ端末装置は、
前記中央装置が保管する写真データを通信回線を介して受信する写真データ受信手段と、
該写真データ受信手段が受信した写真データを、前記記憶手段が記憶している映像情報と合成する写真データ合成手段と、
前記写真データ受信手段が受信した写真データ、又は前記写真データ合成手段が合成したデータに、前記記憶手段が記憶している楽音情報を関連付ける楽音情報付加手段と、
前記写真データ受信手段が受信した写真データ、前記写真データ合成手段が合成したデータ、又は前記楽音情報付加手段が楽音情報を関連付けたデータを外部へ出力する写真データ出力手段と
を備えること
を特徴とするカラオケシステム。
【請求項９】
前記写真データ出力手段は、写真データをハードコピー出力するプリンタであることを特徴とする請求項８に記載のカラオケシステム。
【請求項１０】
前記写真データ出力手段は、脱着可能な記録媒体に写真データを記録する手段であることを特徴とする請求項８に記載のカラオケシステム。
【請求項１１】
前記写真データ出力手段は、写真データを電子メール化して外部へ送信する手段であることを特徴とする請求項８に記載のカラオケシステム。
【発明の詳細な説明】
【技術分野】
【０００１】
本発明は通信センタのサーバと接続されており、カラオケ用の種々の映像データ、曲データ（楽音データ及び歌詞データ）等をサーバから定期的に、またはリクエストがあった場合にダウンロードして保持しているカラオケ装置に関し、より具体的にはそのようなカラオケ装置が保持している種々のデータを利用してデジタル写真データを処理することを可能としたカラオケ装置に関し、またそのようなカラオケ装置と前述した通信センタのサーバとを含むカラオケシステムに関する。
【背景技術】
【０００２】
デジタルスチルカメラの普及に伴なって携帯電話機にもデジタルカメラ機能が付属するようになり、従来の銀塩フィルムを使用したカメラに比して非常に手軽に写真を撮ることが可能になっている。しかしそのようなデジタルカメラで撮影された写真の利用に関しては、パーソナルコンピュータで処理してモニタ上で楽しむか又はパーソナルコンピュータに接続しているプリンタからプリントアウトするか、ＤＰＥ店に処理を依頼するか、またはＤＰＥ店等に備えられている専用の装置でユーザ自身がプリントアウトするか、更には携帯電話機で撮影したデジタル写真に関してはメール送信することにより知人、友人に見せる等の方法が一般的である。
【０００３】
ところで、パーソナルコンピュータでデジタル写真データを処理する場合には、種々の加工、たとえば人物の画像を任意の背景に合成したり、任意のフレーム内に人物の画像を合成したりすることができる他、複数の写真データを記録可能なＣＤ，ＤＶＤ等の記録媒体に記録したアルバムを作成することも可能であり、その場合にはＢＧＭを付加することも可能である。しかし、パーソナルコンピュータを利用してこのような処理を行なうためには、ある程度の能力のパーソナルコンピュータに専用のアプリケーションソフトウェアをインストールする必要があり、その操作にはある程度の熟練が必要である。また、背景、フレーム、ＢＧＭ等のデータに関しては、専用のアプリケーションソフトウェアに添付されている場合もあるが、ユーザが別途用意しなければならない場合もあり得る。
【０００４】
以上のように、近年のデジタルスチルカメラ及びカメラ機能付き携帯電話機の普及に伴なって、それらにより撮影されたデジタル写真データの処理に関しては必ずしも十分な体制が整っているとは言い難く、単に写真を撮るのみに終わる場合も多いというのが実情である。
【０００５】
このような事情からたとえば特許文献１には、携帯電話機又はパーソナルコンピュータ等の情報端末装置からインターネットを利用してデジタル写真データをユーザが送信することにより、その画像をユーザが希望する画像と合成し、更には音楽（ＢＧＭ）を付加してユーザの携帯端末へ返送するサービスに関する発明が開示されている。
【特許文献１】特開２００３−１５７３２６号
【発明の開示】
【発明が解決しようとする課題】
【０００６】
上述した特許文献１に開示されている発明では、サーバからはデジタルデータが送信されてくるため、顧客はそのデータを自身のパーソナルコンピュータ又は携帯電話機等に記憶させる必要があり、またインターネットを介してデータの送受信が行なわれるため、たとえば定額制の契約をしているパーソナルコンピュータであればそれほどの問題は生じないが、携帯電話機を使用する場合には通信経費が必要になる、等の問題がある。
【０００７】
本発明は以上のような事情に鑑みてなされたものであり、広く普及している営業用のカラオケ装置を利用してデジタル写真データを処理することにより、特に営業用のカラオケ装置が保持している種々の映像及びＢＧＭとしても利用可能な曲データを利用することにより、上述したような種々の問題点の解決を図るためのカラオケ装置及びカラオケシステムの提供を目的とする。
【課題を解決するための手段】
【０００８】
第１の発明に係るカラオケ装置は、複数のカラオケ曲の楽音情報と、これらの楽音情報の再生時に表示される映像情報とを記憶する記憶手段を備えたカラオケ装置において、写真データを取得する写真データ取得手段と、該写真データ取得手段が取得した写真データを、前記記憶手段が記憶している楽音情報及び／又は映像情報を利用して加工する写真データ加工手段と、該写真データ加工手段が加工した写真データを外部へ出力する写真データ出力手段とを備えたことを特徴とする。
【０００９】
このような第１の発明に係るカラオケ装置では、写真データが取得され、取得された写真データが、記憶手段が記憶している楽音情報及び／又は映像情報を利用して加工され、加工された写真データが外部へ出力される。
【００１０】
また第２の発明に係るカラオケ装置は、複数のカラオケ曲の楽音情報と、これらの楽音情報の再生時に表示される映像情報とを記憶する記憶手段を備えたカラオケ装置において、写真データを取得する写真データ取得手段と、該写真データ取得手段が取得した写真データを、前記記憶手段が記憶している映像情報と合成する写真データ合成手段と、前記写真データ取得手段が取得した写真データ、又は前記写真データ合成手段が合成したデータに、前記記憶手段が記憶している楽音情報を関連付ける楽音情報付加手段と、前記写真データ取得手段が取得した写真データ、前記写真データ合成手段が合成したデータ、又は前記楽音情報付加手段が楽音情報を関連付けたデータを外部へ出力する写真データ出力手段とを備えたことを特徴とする。
【００１１】
このような第２の発明に係るカラオケ装置では、写真データが取得され、取得された写真データが記憶手段が記憶している映像情報と合成され、取得された写真データ、又は合成されたデータに、記憶手段が記憶している楽音情報が関連付けられ、取得された写真データ、合成されたデータ、又は楽音情報が関連付けられたデータが外部へ出力される。
【００１２】
また第３の発明に係るカラオケ装置は上記の第１又は第２の発明において、前記写真データ取得手段は、脱着可能な記録媒体から写真データを読み込む手段であることを特徴とする。
【００１３】
このような第３の発明に係るカラオケ装置では上記の第１又は第２の発明において、固体メモリ、ディスク媒体等の脱着可能な記録媒体から写真データが読み込まれることにより取得される。
【００１４】
また第４の発明に係るカラオケ装置は上記の第１又は第２の発明において、前記写真データ取得手段は、外部装置から通信回線を介して写真データを受信する手段であることを特徴とする。
【００１５】
このような第４の発明に係るカラオケ装置では上記の第１又は第２の発明において、外部装置から通信回線を介して写真データが受信されることにより取得される。
【００１６】
また第５の発明に係るカラオケ装置は上記第１乃至第４の発明のいずれかにおいて、前記写真データ出力手段は、写真データをハードコピー出力するプリンタであることを特徴とする。
【００１７】
このような第５の発明に係るカラオケ装置では上記第１乃至第４の発明のいずれかにおいて、写真データがプリンタによりハードコピーされて出力される。
【００１８】
また第６の発明に係るカラオケ装置は上記第１乃至第５の発明のいずれかにおいて、前記写真データ出力手段は、脱着可能な記録媒体に写真データを記録する手段であることを特徴とする。
【００１９】
このような第６の発明に係るカラオケ装置では上記第１乃至第５の発明のいずれかにおいて、写真データが脱着可能なたとえば固体メモリ、ディスク媒体等の記録媒体に記録されることにより出力される。
【００２０】
また第７の発明に係るカラオケ装置は上記第１乃至第５の発明のいずれかにおいて、前記写真データ出力手段は、写真データを電子メール化して外部へ送信する手段であることを特徴とする。
【００２１】
このような第７の発明に係るカラオケ装置では上記第１乃至第５の発明のいずれかにおいて、写真データが電子メール化されて外部へ送信されることにより出力される。
【００２２】
更に第８の発明に係るカラオケシステムは、複数のカラオケ曲の楽音情報と、これらの楽音情報の再生時に表示される映像情報とを記憶する記憶手段を備えたカラオケ端末装置と、該カラオケ端末装置に前記楽音情報と映像情報とを送信して前記記憶手段に記憶させる中央装置とを含むカラオケシステムにおいて、前記中央装置は、電子メールにより写真データを受信して保管する機能を有し、前記カラオケ端末装置は、前記中央装置が保管する写真データを通信回線を介して受信する写真データ受信手段と、該写真データ受信手段が受信した写真データを、前記記憶手段が記憶している映像情報と合成する写真データ合成手段と、前記写真データ受信手段が受信した写真データ、又は前記写真データ合成手段が合成したデータに、前記記憶手段が記憶している楽音情報を関連付ける楽音情報付加手段と、前記写真データ受信手段が受信した写真データ、前記写真データ合成手段が合成したデータ、又は前記楽音情報付加手段が楽音情報を関連付けたデータを外部へ出力する写真データ出力手段とを備えることを特徴とする。
【００２３】
このような第８の発明に係るカラオケシステムでは、中央装置が電子メールにより写真データを受信して保管しており、この中央装置が保管している写真データをカラオケ端末装置が通信回線を介して受信し、受信された写真データが記憶手段が記憶している映像情報と合成され、受信された写真データ、又は合成されたデータに記憶手段が記憶している楽音情報が関連付けられ、受信された写真データ、合成されたデータ、又は楽音情報が関連付けられたデータが外部へ出力される。
【００２４】
また第９の発明に係るカラオケシステムは上記の第８の発明において、前記写真データ出力手段は、写真データをハードコピー出力するプリンタであることを特徴とする。
【００２５】
このような第９の発明に係るカラオケシステムでは上記の第８の発明において、写真データがプリンタによりハードコピーされることにより出力される。
【００２６】
また第１０の発明に係るカラオケシステムは上記の第８の発明において、前記写真データ出力手段は、脱着可能な記録媒体に写真データを記録する手段であることを特徴とする。
【００２７】
このような第１０の発明に係るカラオケシステムでは上記の第８の発明において、写真データが脱着可能なたとえば固体メモリ、ディスク媒体等の記録媒体に記録されることにより出力される。
【００２８】
また第１１の発明に係るカラオケシステムは上記の第８の発明において、前記写真データ出力手段は、写真データを電子メール化して外部へ送信する手段であることを特徴とする。
【００２９】
このような第１１の発明に係るカラオケシステムでは上記の第８の発明において、写真データが電子メール化されて外部へ送信されることにより出力される。
【発明の効果】
【００３０】
第１の発明に係るカラオケ装置によれば、カラオケ装置自身が有する楽音情報及び／又は映像情報を利用して写真データを加工して外部へ出力することが可能になるので、多様な加工が可能になる。
【００３１】
また第２の発明に係るカラオケ装置によれば、カラオケ装置自身が有する映像情報を利用して写真データを合成し、またカラオケ装置自身が有する楽音情報を写真データに関連付けて外部へ出力することが可能になるので、多様な加工が可能になる。
【００３２】
更に第３の発明に係るカラオケ装置によれば上記の第１又は第２の発明において、固体メモリ、又はディスク媒体等の脱着可能な記録媒体ら写真データが読み込まれることにより取得されるので、メモリカード、ＣＤ−Ｒ等から容易に写真データを取得することが可能である。
【００３３】
また更に第４の発明に係るカラオケ装置によれば上記第１又は第２の発明において、外部装置から通信回線を介して写真データが受信されることにより取得されるので、予め外部装置へ写真データを電子メール等で送信しておくことにより、容易に写真データを取得することが可能である。
【００３４】
また第５の発明に係るカラオケ装置によれば上記の第１乃至第４の発明のいずれかにおいて、写真データがプリンタによりハードコピーされることにより出力されるので、その場で直ちに写真として見ることが可能になる。
【００３５】
また第６の発明に係るカラオケ装置によれば上記第１乃至第５の発明のいずれかにおいて、写真データが脱着可能なたとえば固体メモリ、ディスク媒体等に記録されることにより出力されるので、その場で直ちに電子データとして記録して持ち帰ることが可能になる。
【００３６】
また第７の発明に係るカラオケ装置によれば上記の第１乃至第５の発明のいずれかにおいて、写真データが電子メール化されて外部へ送信されることにより出力されるので、その場で直ちに電子メールとして送信することが可能になる。
【００３７】
更に第８の発明に係るカラオケシステムによれば、中央装置が電子メールにより写真データを受信して保管しており、この中央装置が保管している写真データをカラオケ端末装置が通信回線を介して受信し、受信された写真データが記憶手段が記憶している映像情報と合成され、受信された写真データ、又は合成されたデータに記憶手段が記憶している楽音情報が関連付けられ、受信された写真データ、合成されたデータ、又は楽音情報が関連付けられたデータが外部へ出力される。従って、予め中央装置に保管させておいた写真データをカラオケ端末装置へダウンロードし、カラオケ端末装置自身が有する楽音情報及び／又は映像情報を利用して写真データを加工して外部へ出力することが可能になるので、多様な加工が可能になると共に、携帯電話機等で撮影した写真データを携帯電話機内に保管する必要がなくなる。
【００３８】
また第９の発明に係るカラオケシステムによれば上記の第８の発明において、写真データがプリンタによりハードコピーされることにより出力されるので、その場で直ちに写真として見ることが可能になる。
【００３９】
また第１０の発明に係るカラオケシステムによれば上記の第８の発明において、写真データが電子メール化されて外部へ送信されることにより出力されるので、その場で直ちに電子メールとして送信することが可能になる。
【００４０】
また第１１の発明に係るカラオケシステムによれば上記の第８の発明において、写真データが電子メール化されて外部へ送信されることにより出力されるので、その場で直ちに電子メールとして送信することが可能になる。
【発明を実施するための最良の形態】
【００４１】
以下、本発明に係るカラオケ装置、及びこのカラオケ装置をカラオケ端末装置とし、中央装置としてのサーバとを含むカラオケシステムの一実施の形態について図面を参照して説明する。図１は本発明に係るカラオケシステムの構成及びカラオケ装置の構成例を示すブロック図であり、端末装置１０と映像再生部４０とを主要な構成要素としており、更に端末装置１０は通信回線を介して通信センタの中央装置であるサーバ５０と接続されている。
【００４２】
端末装置１０は、ＣＰＵ又はＭＰＵ及びＲＯＭ，ＲＡＭ等を内蔵する制御部１１により全体が制御される。制御部１１にはバスを介して、ハードディスク装置（ＨＤ）１２、楽音再生部１３、ビデオミキサ１４、モデム１５、操作パネル１６、映像再生部４０との間のデータの授受のための入出力部（Ｉ／Ｏ）１７等が接続されている。
【００４３】
モデム１５は通信回線を介して通信センタのサーバ５０と接続されている。サーバ５０からは定期的に、又は必要に応じて、映像データ及び曲データ（歌詞データ及び楽音情報）が端末装置１０へ送信される。端末装置１０ではこれらのデータを受信すると、映像データを後述する映像再生部４０のハードディスク装置（ＨＤ）４３へ格納させ、歌詞データをＨＤ１２へ格納させる。
【００４４】
ＨＤ１２には、上述のようにしてサーバ５０から受信した複数のカラオケ曲の楽音データが格納されており、曲名又は曲を特定する番号等のコードが指定されることにより、対応する曲データの歌詞データ及び楽音データが読み出され、歌詞データはビデオミキサ１４へ、楽音データは楽音再生部１３へそれぞれ送られる。
【００４５】
楽音再生部１３にはミキサアンプ３１が接続されている。ミキサアンプ３１にはマイクロフォン３２が接続されている。楽音再生部１３は上述のようにしてＨＤ１２から送られてくる楽音データをアナログオーディオ信号に変換してミキサアンプ３１へ出力する。ミキサアンプ３１にはマイクロフォン３２が接続されているので、楽音再生部１３から与えられるアナログオーディオ信号（カラオケ曲の伴奏）と、マイクロフォン３２から入力された顧客の音声とをミキシングしてスピーカ３３から再生する。ビデオミキサ１４は映像再生部４０から出力される映像信号と、ＨＤ１２に格納されている歌詞データとを合成してモニタ３４へ出力する。
【００４６】
操作パネル１６は顧客が曲の指定を行なったり等の通常のカラオケ装置としての動作を行なわせるために利用される。操作パネル１６が操作された場合、操作状態に応じた所定の信号がバスへ出力される。なお詳細は後述するが、操作パネル１６は従来一般的なカラオケ装置の操作パネルとしての機能の他に、デジタル写真データの処理に際しても利用される。また、操作パネル１６を直接操作する以外に、リモートコントロール装置（以下、リモコンという）１６１を利用しても同様の操作が可能である。リモコン１６１の操作状態はたとえば赤外線信号等に変換されて無線送信され、受信部１６０で受信される。受信部１６０で受信されたリモコン１６０からの信号は操作パネル１６が操作された場合と同様の信号に操作パネル１６において変換されてバスへ出力される。
【００４７】
以上のような端末装置１０に備えられている構成要素は従来の一般的なカラオケ装置の端末装置と同様であるが、本発明に係るカラオケ装置では、端末装置１０に更にメモリスロット２１、プリンタ２２、ＣＤ−ＲＷドライブ２３等が備えられている。
【００４８】
メモリスロット２１はこれに装着された種々のメモリカードとの間でデータを送受するためのものであり、インタフェイス（Ｉ／Ｏ）２０を介してバスに接続されている。プリンタ２２もバスに接続されており、制御部１１による制御に応じてハードコピーを出力する。また、ＣＤ−ＲＷドライブ２３もバスに接続されており、制御部１１による制御に応じてＣＤ−Ｒ，ＣＤ−ＲＷ等へのデータの書き込み及び逆にそれらかのデータの読み込みを行なう。なお、ＣＤ−ＲＷドライブ２３に代えてＤＶＤ−ＲＷドライブを備えていてもよい。
【００４９】
映像再生部４０は、ＣＰＵ又はＭＰＵ及びＲＯＭ，ＲＡＭ等を内蔵する制御部４１により全体が制御される。制御部４１にはバスを介して、映像再生部４２、ハードディスク装置（ＨＤ）４３、端末装置１０との間のデータの授受のための入出力部（Ｉ／Ｏ）４４等が接続されている。
【００５０】
映像再生部４２は前述したように、ＨＤ４３にたとえばＭＰＥＧ２等の圧縮データの形で格納されている映像信号をアナログの映像信号に再生して前述した如くビデオミキサ１４へ送出する。なおＩ／Ｏ４４は端末装置１０のＩ／Ｏ１７と接続されており、端末装置１０がサーバ５０から受信した映像信号をＨＤ４３に格納するために受信したり、また顧客が指定した楽音に応じた映像信号をＨＤ４３から映像再生部４２に再生させてビデオミキサ１４へ出力させるための制御信号等を受信する。
【００５１】
サーバ５０は通信センタに設置されており、上述した端末装置１０とはたとえばインターネット等を介して接続されている。なお、サーバ５０は汎用のコンピュータシステム（サーバシステム）が利用される。また、サーバ５０は顧客の携帯電話機５５との間でも通信可能に構成されている。これは詳細は後述するが、顧客が予めサーバ５０へ写真データをメール送信（アップロード）して保管させておき、端末装置１０からサーバ５０へアクセスすることによりその写真データをダウンロードして利用することを可能にするためである。
【００５２】
なお、端末装置１０のＨＤ１２には、端末装置１０及び映像再生部４０を従来同様のカラオケ装置として動作させるために必要なソフトウェアが予めインストールされているが、本実施の形態ではＨＤ１２には更に、画像処理（合成）用ソフトウェア、電子アルバム作成用ソフトウェア、メーラ（電子メール処理用ソフトウェア）、プリンタ２２用のプリンタドライバ、メモリスロット２１用ソフトウェア、ＣＤ−ＲＷドライブ２３用のソフトウェア等も予めインストールされている。
【００５３】
次に、上述のような構成の本発明のカラオケ装置の動作について、カラオケ装置としての本来の機能は従来の一般的なそれと基本的には同様であるので、デジタル写真データの処理を行なう際の動作について主として説明する。
【００５４】
図２及び図３は本発明のカラオケ装置により行なわれる写真データの処理の手順のメインルーチンを示すフローチャートである。まず最初にこの図２及び図３のメインルーチンのフローチャートを参照して全体の処理手順について説明する。
【００５５】
端末装置１０の制御部１１は操作パネル１６（又はリモコン１６１、以下同様）が操作されて何らかの指示が与えられるのを待機しており（ステップＳ１１）、顧客が写真の処理を指示した場合（ステップＳ１１でＹＥＳ）、写真データの取り込み処理を行なう（ステップＳ１３）。この処理はサブルーチンとして用意されている。
【００５６】
なお、顧客が他の処理を指示した場合、たとえば通常のカラオケ装置としての機能を指示した場合には制御部１１はその処理を実行する（ステップＳ１２）。この場合の処理に付いては従来公知であるので省略する。
【００５７】
制御部１１は取り込んだ写真データを一旦ＨＤ１２に格納すると共に、写真データをモニタ３４に画像として一覧表示する（ステップＳ１４）。この状態で制御部１１はモニタ３４上に写真の加工を行なうか否かを顧客に指示させるメッセージを表示し、顧客がそれに応じて操作パネル１６を操作することにより、いずれかを選択する。顧客が写真を加工することを選択した場合（ステップＳ１５でＹＥＳ）、制御部１１は写真データの加工処理を行なう（ステップＳ１６）。この処理はサブルーチンとして用意されている。
【００５８】
顧客が写真を加工することを選択しなかった場合（ステップＳ１５でＮＯ）、制御部１１はモニタ３４に一覧表示している写真の画像の内の一枚を顧客に選択させるメッセージを表示し、顧客がそれに応じて一枚の写真を選択するまで待機する（ステップＳ１７でＮＯ）。顧客が一枚の写真を選択した場合（ステップＳ１７でＹＥＳ）、又はステップＳ１６での写真データの加工が終了した場合、制御部１１は次にプリントアウトを行なうか否かを顧客に指示させるメッセージをモニタ３４に表示する。これに応じて顧客がプリントアウトを指示した場合（ステップＳ１８でＹＥＳ）、制御部１１は加工された写真データ、又は加工されていない一枚の写真データをプリンタ２２でプリントアウトする（ステップＳ１９）。
【００５９】
顧客がプリントアウトを指示しなかった場合（ステップＳ１８でＮＯ）、又はプリントアウトが終了した場合、制御部１１は次にＣＤ−Ｒに書き込みを行なうか否かを顧客に指示させるメッセージをモニタ３４に表示する。これに応じて顧客がＣＤ−Ｒへの書き込みを指示した場合（ステップＳ２０でＹＥＳ）、制御部１１は加工された写真データ、又は加工されていない一枚の写真データをＣＤ−ＲＷドライブ２３でＣＤ−Ｒ（又はＣＤ−ＲＷでもよい）に書き込む（ステップＳ２１）。
【００６０】
顧客がＣＤ−Ｒへの書き込みを指示しなかった場合（ステップＳ２０でＮＯ）、又はＣＤ−Ｒへの書き込みが終了した場合、制御部１１は次にメール送信を行なうか否かを顧客に指示させるメッセージをモニタ３４に表示する。これに応じて顧客がメール送信を指示した場合（ステップＳ２２でＹＥＳ）、制御部１１は加工された写真データ、又は加工されていない一枚の写真データを指定された宛先へメール送信する（ステップＳ２３）。メール送信した場合、及びメール送信しない場合（ステップ２２でＮＯ）のいずれでも、他に処理したい写真データがある場合は（ステップＳ２４でＮＯ）、ステップＳ１４へ処理を戻すが、他に処理したい写真データがない場合は処理を終了する（ステップＳ２４でＹＥＳ）。
【００６１】
以上が本発明に係るカラオケ装置により実行される写真データの処理の全体の手順であるが、次にステップＳ１３での写真データの取り込み処理について、その詳細な手順を示す図４のサブルーチンのフローチャートを参照して説明する。
【００６２】
写真データの取り込みに際して制御部１１はまず最初に写真データの取り込み方法を顧客に指定させる。本実施の形態では、顧客が携帯電話機５５（パーソナルコンピュータからでもよい）から予めサーバ５０へ送信してアップロードしておいた写真データを端末装置１０へダウンロードする方法、メモリスロット２１へメモリカードを装着して写真データを端末装置１０に読み込ませる方法、及びＣＤ−Ｒ（ＣＤ−ＲＷでもよい）に記録されている写真データをＣＤ−ＲＷドライブ２３により読み込ませる方法、の３通りの方法が用意されている。
【００６３】
但し、これ以外にも、たとえばカメラ機能付き携帯電話機又はデジタルカメラと端末装置１０とを直接、または適宜のケーブルで接続して写真データを端末装置１０へ読み込ませる方法、あるいはＰＤＡ等の携帯情報処理装置からBluetooth 、赤外線通信等で端末装置１０へ写真データを無線送信する方法等、種々の方法が利用可能であることは言うまでもない。
【００６４】
制御部１１はまずモニタ３４にいずれの方法で写真データの取り込みを行なうかを顧客に指示させるメッセージを表示する。これに応じて顧客がたとえばサーバ５０に既にアップロードしてある写真データをダウンロードすることを選択した場合（ステップＳ３１でＹＥＳ）、制御部１１は次にパスワードの入力を求めるメッセージをモニタ３４に表示し、これに応じて顧客がパスワードを入力するまで待機する（ステップＳ３２でＮＯ）。顧客が操作パネル１６を操作してパスワードを入力すると（ステップＳ３２でＹＥＳ）、制御部１１は入力されたパスワードをモデム１５からサーバ５０へ送信する（ステップＳ３３）。
【００６５】
サーバ５０では端末装置１０から送信されてきたパスワードに対応して保管している写真データを端末装置１０へ送信するので、端末装置１０の制御部１１はモデム１５を介してそれらの写真データを受信し（ステップＳ３４）、ＨＤ１２に一時保管する。
【００６６】
一方、顧客がサーバ５０からのダウンロードではなくメモリスロット２１からの写真データの取り込みを指示した場合（ステップＳ３１でＮＯ、Ｓ４１でＹＥＳ）、制御部１１はメモリスロット２１にメモリカードが装着されるまで待機し（ステップＳ４２でＮＯ）、装着されれば（ステップＳ４２でＹＥＳ）、メモリスロット２１に装着されたメモリカードから写真データを読み込み（ステップＳ４３）、ＨＤ１２に一時保管する。
【００６７】
更に、顧客がＣＤ−Ｒ（又はＣＤ−ＲＷ）からの写真データの読み込みを指示した場合（ステップＳ３１でＮＯ、Ｓ４１でＮＯ）、制御部１１はＣＤ−ＲＷドライブ２３にＣＤ−Ｒ（又はＣＤ−ＲＷ）が装着されるまで待機し（ステップＳ５１でＮＯ）、装着されれば（ステップＳ５１でＹＥＳ）、ＣＤ−ＲＷドライブ２３に装着されたＣＤ−Ｒ（又はＣＤ−ＲＷ）から写真データを読み込み（ステップＳ５２）、ＨＤ１２に一時保管する。
【００６８】
以上のように、本実施の形態では、予め携帯電話機５５等からメールでサーバ５０へアップロードしておいた写真データを端末装置１０へダウンロードする方法、メモリスロット２１に装着したメモリカードから写真データを読み込む方法、ＣＤ−ＲＷドライブ２３によりＣＤ−Ｒ（又はＣＤ−ＲＷ）から写真データを読み込む方法の３通りの方法で端末装置１０に写真データを取り込ませることが可能である。
【００６９】
次に、メインルーチンのステップＳ１６の写真データの加工処理についてその詳細を示す図５のサブルーチンのフローチャートを参照して説明する。
【００７０】
まず、顧客が写真データを加工することを指示した場合には、制御部１１はアルバムの作成を行なうのか、単に一枚の写真の加工を行なうのかのいずれであるのかを顧客に指示させるメッセージをモニタ３４に表示する。顧客がアルバムの作成を指示した場合（ステップＳ６１でＹＥＳ）、制御部１１は後述するアルバム作成のサブルーチンを実行する（ステップＳ６２）。
【００７１】
一方、顧客がアルバムの作成を指示しなかった場合（ステップＳ６１でＮＯ）、換言すれば、一枚の写真の加工を選択した場合、制御部１１はモニタ３４に一覧表示している写真の内のいずれを加工対象として選択するかを指示させるメッセージをモニタ３４に表示して待機状態になる（ステップＳ６３でＮＯ）。これに応じて顧客が一枚の写真を選択する指示を操作パネル１６を操作して入力すると（ステップＳ６３でＹＥＳ）、制御部１１は次に映像信号との合成を行なうか否かを顧客に指示させるメッセージをモニタ３４に表示する。
【００７２】
顧客が映像信号との合成を指示した場合は（ステップＳ６４でＹＥＳ）、制御部１１は顧客に映像信号を選択させるメッセージをモニタ３４に表示して待機状態になる（ステップＳ６５でＮＯ）。これに応じて顧客が映像信号を選択すると（ステップＳ６５でＹＥＳ）、制御部１１は選択された映像信号と写真データとを合成する画像処理を行ない、その結果として得られる画像をモニタ３４に表示する（ステップＳ６６）。なお、映像信号は、映像再生部４０のＨＤ４３に予め格納されているカラオケ曲の背景用の画像から選択される。その具体的な方法としては種々の方法が可能ではあるが、たとえば映像再生部４０のＨＤ４３に格納されている全ての画像信号の特徴的な画面をモニタ３４上にサムネイル表示することにより顧客に画像信号を特定させ、その画像信号を最初からモニタ３４上に再生して顧客が望む画像が表示された時点で操作パネル１６の所定のスイッチをオンする等により選択するようにすればよい。
【００７３】
このようにして映像信号との合成が行なわれた場合又は先のステップＳ６４において映像信号との合成を顧客が望まなかった場合、制御部１１は次にＢＧＭを付加するか否かを顧客に選択させるメッセージをモニタ３４に表示する。顧客がＢＧＭの付加を指示した場合は（ステップＳ６７でＹＥＳ）、制御部１１は顧客にＢＧＭを選択させるメッセージをモニタ３４に表示して待機状態になる（ステップＳ６８でＮＯ）。これに応じて顧客がＢＧＭにしたい曲を選択すると（ステップＳ６８でＹＥＳ）、制御部１１は選択された曲データと写真データとを関連付ける処理を行なう（ステップＳ６９）。なお、ＢＧＭは、端末装置１０のＨＤ１２に予め格納されているカラオケ曲の曲データから選択される。その具体的な方法としては、端末装置１０に対して曲の指定を行なう通常の操作方法、たとえば曲名又は曲に付与されているコード等を操作パネル１６の操作により入力すればよい。
【００７４】
本実施の形態では、上述のステップＳ６９の処理で写真データの合成処理を終了してメインルーチンへリターンするが、上述以外の種々の加工を行なうことも勿論可能である。
たとえば顧客の写真データに顧客が望むフレームを付加したり、またはアイドルと並んでいる状態の画像を合成したり、等の処理も勿論可能である。但しこの場合には、ＨＤ１２にそれらの用途に使用するためのデータを格納しておく必要がある。
【００７５】
ところで、上述のステップＳ６１においてアルバム作成を顧客が選択した場合に制御部１１が行なう処理について、図６に示すサブルーチンのフローチャートを参照して詳細に説明する。
【００７６】
顧客がアルバムの作成を指示した場合、制御部１１はまず種々のアルバムのフォームをモニタ３４に一覧表示し（ステップＳ８１）、顧客にいずれか一つを選択させるメッセージをモニタ３４に表示する。なお、アルバムのフォームはＨＤ１２に予め格納されている。モニタ３４に表示された種々のアルバムのフォームから顧客が一つのフォームを選択するまでは制御部１１は待機状態になり（ステップＳ８２でＮＯ）、顧客が一つのフォームを選択すると（ステップＳ８２でＹＥＳ）、制御部１１は取り込まれてている写真データの画像を再度モニタ３４に一覧表示し、アルバムに入れる写真を選択させるメッセージをモニタ３４に表示する。これに応じて顧客が写真を選択している間（ステップＳ８３）、制御部１１は待機状態になり（ステップＳ８４でＮＯ）、顧客が選択終了を意味する操作を操作パネル１６上で行なうと（ステップＳ８４でＹＥＳ）、所定の手順に従ってアルバムを作成する（ステップＳ８５）。
【００７７】
なお、アルバム作成の処理はＨＤ１２に予めインストールされているアルバム作成用ソフトウェアに従って行なわれるが、そのようなソフトウェアは種々公知のものが存在するので、それらの内のいずれかを利用すればよいことはいうまでもない。また、上述のようにして作成されたアルバムはいわゆる電子アルバムであり、この時点でモニタ３４上で順次ページをめくる操作等を行ないつつ閲覧することも可能である。
【００７８】
以上のようにしてアルバムが作成されると、制御部１１は次に作成されたアルバムにＢＧＭを付加するか否かを顧客に選択させるメッセージをモニタ３４に表示する。これに応じて顧客がＢＧＭを付加することを指示した場合（ステップＳ８６でＹＥＳ）、制御部１１は顧客にＢＧＭを選択させるメッセージをモニタ３４に表示して待機状態になる（ステップＳ８７でＮＯ）。これに応じて顧客がＢＧＭにしたい曲を選択すると（ステップＳ８７でＹＥＳ）、制御部１１は選択された曲データとアルバムのデータとを関連付ける処理を行なう（ステップＳ８８）。なお、ＢＧＭは、端末装置１０のＨＤ１２に予め格納されているカラオケ曲の曲データから選択可能である。その具体的な方法としては、端末装置１０に対して曲の指定を行なう通常の操作方法、たとえば曲名又は曲に付与されているコード等を操作パネル１６の操作により入力すればよい。
【００７９】
以上のようにしてアルバムにＢＧＭが付加された場合又は先のステップＳ８６で顧客がＢＧＭの付加を選択しなかった場合は（ステップＳ８６でＮＯ）、図５のサブルーチンへ一旦リターンするが、更に直ちにメインルーチンへリターンする。
【００８０】
以上により、一枚の写真データが選択されてそのまま、または加工されて、更には複数の写真データからアルバムが作成されて、プリンタ２２でプリントされ（ステップＳ１９）、又はＣＤ−ＲＷドライブ２３によりＣＤ−Ｒ（又はＣＤ−ＲＷ）に書き込まれ（ステップＳ２１）、あるいはメール送信される（ステップＳ２３）。
【００８１】
プリントした場合には、顧客が選択した一枚の写真がそのまま、または加工されて、あるいは複数の写真から作成されたアルバムがプリンタ２２でプリントアウトされるので、顧客は予め撮影した写真をプリントアウトすることは勿論のこと、本発明のカラオケ装置を本来の目的で利用している間にデジタルカメラ又はカメラ機能付き携帯電話機で撮影した写真をその場で直ちにプリントアウトすることも可能になる。但しこの場合、ＢＧＭが付加されていたとしても、画像のみがプリントアウトされる。
【００８２】
ＣＤ−Ｒ（又はＣＤ−ＲＷ）に書き込んだ場合には、顧客が選択した一枚の写真がそのまま、または加工されて、あるいは複数の写真から作成された電子アルバムがＣＤ−ＲＷドライブ２３によりＣＤ−Ｒ（又はＣＤ−ＲＷ）に書き込まれるので、顧客は予め撮影した写真は勿論のこと、本発明のカラオケ装置を本来の目的で利用している間にデジタルカメラ又はカメラ機能付き携帯電話機で撮影した写真をその場で直ちにＣＤ−Ｒ（又はＣＤ−ＲＷ）に書き込んで持ち帰ることも可能になる。勿論、複数枚のＣＤ−Ｒ（又はＣＤ−ＲＷ）に書き込むことも可能であるので、その場に居た全ての人物にＣＤ−Ｒ（又はＣＤ−ＲＷ）を持ち帰らせることも可能になる。
【００８３】
更に、メール送信した場合には、顧客が選択した一枚の写真がそのまま、または加工されて、あるいは複数の写真から作成されたアルバムがメール送信されるので、顧客は予め撮影した写真は勿論のこと、本発明のカラオケ装置を本来の目的で利用している間にデジタルカメラ又はカメラ機能付き携帯電話機で撮影した写真をその場で直ちにメール送信することも可能になる。
【００８４】
以上に詳述したように本発明に係るカラオケ装置によれば、カラオケ装置として本来有しているカラオケ曲の背景用の種々の映像信号を利用して顧客の写真と合成したり、またカラオケ装置として本来有しているカラオケ曲の曲データの楽音データ（伴奏音楽）をＢＧＭとして付加したりすることが容易に行なえる。
【００８５】
また、従来であれば、カラオケ装置を利用している間にカメラ機能付き携帯電話機で撮影した写真はその場ではそのままメール送信できるのみであったが、本発明に係るカラオケ装置ではその場で種々の加工を行なってメール送信することも、プリントアウトすることも、更にはＣＤ−Ｒ（又はＣＤ−ＲＷ）等の可搬タイプの記録媒体に記録してその場に居る全ての人物にその場で持ち帰らせることも可能になる。
【図面の簡単な説明】
【００８６】
【図１】本発明に係るカラオケシステムの構成及びカラオケ装置の構成例を示すブロック図である。
【図２】本発明のカラオケ装置により行なわれる写真データの処理の手順のメインルーチンを示すフローチャートである。
【図３】本発明のカラオケ装置により行なわれる写真データの処理の手順のメインルーチンを示すフローチャートである。
【図４】メインルーチンの写真データの取り込み処理についての詳細な手順を示すサブルーチンのフローチャートである。
【図５】メインルーチンの写真データの加工処理についての詳細を示すサブルーチンのフローチャートである。
【図６】アルバム作成を顧客が選択した場合のサブルーチンのフローチャートである。
【符号の説明】
【００８７】
１０  端末装置
４０  映像再生部
５０  サーバ
１１  制御部
１２  ハードディスク装置（ＨＤ）
１５  モデム
１６  操作パネル
１６１  リモートコントロール装置
２１  メモリスロット
２２  プリンタ
２３  ＣＤ−ＲＷドライブ
４１  制御部
４２  映像再生部
４３  ハードディスク装置（ＨＤ）
【図１】
2006003842.tif 000003
【図２】
2006003842.tif 000004
【図３】
2006003842.tif 000005
【図４】
2006003842.tif 000006
【図５】
2006003842.tif 000007
【図６】
2006003842.tif 000008